(57)【要約】【課題】分割されたカーテン要素を複数設けてカーテンを構成する場合に、出入りがしやすく、また、スリットからの風雨や埃などの侵入を防止できるようにしたカーテン構造を提供する。【解決手段】複数の独立したカーテン要素２を上下方向のスリットを有するように設ける際、カーテン要素２のそれぞれの対向する縁部２２に磁石６を設ける。この磁石６を設ける場合、細長い一枚のラバーマグネットなどの磁石６を短手方向に切断し、表裏逆にして磁石取付部に取り付ける。そして、カーテン要素２の縁部の方向に沿っては磁着させられるようにするとともに、それぞれのカーテン要素２の磁石６の表面方向には反発させるように設けるようにする。【選択図】図５
2020081033.tif 000002
【特許請求の範囲】
【請求項１】
スリットを有するように左右に設けられた複数のカーテン要素と、
当該カーテン要素のそれぞれの対向する縁部に設けられる磁石と、
を備えてなるカーテンであって、
前記磁石を、隣接するカーテン要素の縁部同志を磁着させるとともに、それぞれのカーテン要素の磁石が表裏方向に近づいた場合にそれぞれの磁石を反発させるように設けるようにしたたことを特徴とするカーテン。
【請求項２】
前記カーテン要素が、樹脂シートで構成されるものであり、
前記磁石が、樹脂シートの左右方向の移動可能な範囲内で表面方向に反発させるように設けたものである請求項１に記載のカーテン。
【請求項３】
前記カーテン要素が、それぞれ分離された状態で設けられるものである請求項１に記載のカーテン。
【発明の詳細な説明】
【技術分野】
【０００１】
本発明は、暖簾状のカーテンに関するものであり、より詳しくは、スリット部分からの埃や風雨の侵入を防止できるようにしたカーテンに関するものである。
【背景技術】
【０００２】
一般に、店舗、工場などの出入口においては、ビニールなどの樹脂シートを用いたカーテンが使用されている（特許文献１など）。このようなカーテンは、容易に出入りできるようにするとともに、外部からの風雨や埃などの侵入を妨げ、また、遮熱性を持たせて店舗や工場内の温度を一定に保てるようにしたものである。そして、このようなカーテンを使用する場合、樹脂シートを左右にスライドさせたり、巻き上げたりしたり、あるいは、暖簾状に分割されたカーテン要素のスリットの隙間から出入りするようにする。
【先行技術文献】
【特許文献】
【０００３】
【特許文献１】特開２００２―１５８９９５号公報
【発明の概要】
【発明が解決しようとする課題】
【０００４】
しかしながら、このような従来のカーテンの構造では、次のような問題がある。
【０００５】
すなわち、従来の構成として一枚の樹脂シートを左右にスライドさせたり、巻き上げたりするような構造では、樹脂シートで扉の開口部を隙間なく塞ぐことができるものの、重い一枚の樹脂シートをスライドや上下動させなければならず、開閉に時間が掛かってしまうといった問題がある。
【０００６】
これに対して、暖簾状に樹脂シートを分割して、そのスリットの隙間から出入りできるようにした構造では、容易に出入りすることができるものの、スリットから埃や風雨が入り込み易くなるといった問題がある。
【０００７】
この問題を解決するために、図６の上図に示すように、分割されたカーテン要素をそれぞれオーバーラップさせてスリットの隙間を覆うようにすることも考えられるが、このようにした場合、カーテン要素を押し出す場所が下図の部分に限定されてしまうとともに、強い風雨がカーテン要素に当たると、そのカーテン要素が前後になびいてしまい、スリット部分から風雨が入り込んでしまう可能性がある。
【０００８】
これに対して、このようなカーテン要素のスリット部分の縁部近傍に磁石を設けて密着させる方法なども考えられるが、隣接するカーテン要素の端辺をオーバーラップさせるように磁着させると、出入りする際、図６の下図に示すように、押圧するカーテン要素に隣接する全てのカーテン要素を押し込まなければならず、大きな力が必要になってしまうといった問題がある。
【０００９】
そこで、本発明は上記課題に着目してなされたもので、スリットを有するようにカーテンを構成する場合に、出入りしやすく、また、スリットからの風雨や埃などの侵入を防止できるようにしたカーテンを提供することを目的とする。
【課題を解決するための手段】
【００１０】
すなわち、本発明は上記問題を解決するために、スリットを有するように左右に設けられた複数のカーテン要素と、当該カーテン要素のそれぞれの対向する縁部に設けられる磁石とを備えてなるカーテンであって、前記磁石を、隣接するカーテン要素の縁部同志を磁着させるとともに、それぞれのカーテン要素の磁石が表裏方向に近づいた場合にそれぞれの磁石を反発させるように設けるようにしたものである。
【００１１】
このように構成すれば、縁部同志を磁着させるため、左右いずれのカーテン要素を押しても出入りすることができ、オーバーラップさせたときのような、片側のみを押して出入りするといった煩わしさや、片側に隣接する全てのカーテン要素も一緒に押圧しなければならないといった煩わしさもなくなる。しかも、出入りの際に、カーテン要素が前後に揺れた場合であっても、縁部近傍では表裏方向に反発するため、カーテン要素をオーバーラップさせることなく、迅速に縁部のみで磁着させることができるようになる。
【００１２】
また、このような発明において、前記カーテン要素を、樹脂シートで構成し、磁石を、樹脂シートの左右方向の移動可能な範囲内で表面方向に反発させるように設けるようにする。
【００１３】
このように構成すれば、樹脂シートによって、前後方向への揺れ許容するとともに、左右方向（平面に沿った方向）への振れを少なくすることができるため、磁石が不用意な方向に向いて磁着してしまうようなことがなくなる。しかも、樹脂シートが左右方向に振れたとしても、磁石がその左右方向の移動可能な範囲内で表面方向に反発させるようになっているので、樹脂シートがオーバーラップしてしまうようなことがなくなる。
【００１４】
さらに、前記カーテン要素を、それぞれ分離させた状態で設けるようにする。
【００１５】
このように構成すれば、重いカーテンを取り付ける場合、一枚ずつカーテン要素を取り付けて磁着させることができ、容易にカーテン要素を取り付けて出入口をカーテンで塞ぐことができるようになるとともに、カーテンを収容するような場合、小さな領域で収容させることができるようになる。
【発明の効果】
【００１６】
本発明によれば、スリットを有するように左右に設けられた複数のカーテン要素と、当該カーテン要素のそれぞれの対向する縁部に設けられる磁石とを備えてなるカーテンであって、前記磁石を、隣接するカーテン要素の縁部同志を磁着させるとともに、それぞれのカーテン要素の磁石が表裏方向に近づいた場合にそれぞれの磁石を反発させるように設けるようにしたので、縁部同志を磁着させて、左右のどちらのカーテン要素を押しても出入りすることができるようになる。これにより、オーバーラップさせているときのような、片側のみを押して出入りしなければならないといった煩わしさや、片側に隣接する全てのカーテン要素も一緒に押圧しなければならないといった煩わしさもなくなる。しかも、出入りの際に、カーテン要素が前後に揺れた場合であっても、縁部近傍では表裏方向に反発するため、カーテン要素をオーバーラップさせることなく、迅速に縁部のみで磁着させることができるようになる。
着させることができるため、埃や風雨の侵入を迅速に防止することができるようになる。
【図面の簡単な説明】
【００１７】
【図１】本発明の一実施の形態におけるカーテンを示す図
【図２】同形態におけるフック部とレールを示す図
【図３】同形態における磁石取付部近傍を示す断面図
【図４】同形態における磁極を示す図
【図５】同形態における出入りの動作状態を示す図
【図６】従来のオーバーラップしたカーテンを示す図
【発明を実施するための形態】
【００１８】
以下、本発明の一実施の形態について図面を参照しながら説明する。
【００１９】
この実施の形態におけるカーテン１は、図１に示すように、分離された複数のカーテン要素２の縁部２２に磁石６（図３参照）を取り付けてなるものであって、隣接するカーテン要素２の縁部２２同士を磁着させるとともに、カーテン要素２が表裏方向に揺れた場合であっても、磁石６を表面方向に反発させて、オーバーラップを防止しつつ、縁部２２同士のみを磁着させるようにしたものである。そして、このように構成することによって、出入りの際にスリットＳを構成する縁部２２から割り入るように出入りすることができるようにして、出入りの通過後にスリットＳを閉じて埃や風雨の侵入を防止できるようにしたものである。以下、本実施の形態について図面を参照ながら説明する。
【００２０】
まず、カーテン１は、分割された複数のカーテン要素２を備えて構成される。このカーテン要素２は、断熱性を有するとともに、埃や風雨の侵入を防止できるようなものとして、例えば、厚み１ｍｍから７ｍｍ程度の透明・半透明のビニールなどの可撓性樹脂で構成される。
【００２１】
このカーテン要素２は、樹脂シート２１を有してなるものであって、図２に示すように、上端に設けられたフック部３を介して出入口の上部に設けられたレール７に取り付けられる。このフック部３は、カーテン要素２の一方の面にプレート３１ａを設け、反対面に鈎部３２を有するプレート３１ｂで挟み込んで表裏間をボルト４で取り付けられる。この鈎部３２は、横向きＴ字状をなす形状になっており、そのＴ字状をなす下片部３４の端部を内側に屈曲させて屈曲部３５を設けるようにしている。一方、この鈎部３２が取り付けられるレール７は、このＴ字状をなす鈎部３２の少なくとも上下半分が入るような隙間幅の開口部７１を設けるように構成されており、その開口部７１に鈎部３２の上片部３３を入れ、その後、傾斜させながら鈎部３２の下片部３４を入れられるようになっている。そして、自重によって鈎部３２の載置片３６をレール７の下側前壁７２の上端部に載せるとともに、その下側前壁７２の内側に設けられた突起７３とフック部３の屈曲部３５と引っ掛けられるようにして抜けにくくしている。
【００２２】
一方、このカーテン要素２の左右縁部２２には、磁石６を取り付けるための磁石取付部５が設けられる。この磁石取付部５は、矩形状断面を有する細長い磁石６を挿入できるようにしたものであって、図３に示すように、溶着片５１を介してカーテン要素２の縁部２２近傍に表裏対称に溶着される。この磁石取付部５の縁部２２の隣接部分は、平坦になっており、これによって隣接する磁石取付部５との接触面積を大きくして強く磁着させられるようにしている。
【００２３】
そして、このような構成のもと、磁石６は、隣接するカーテン要素２の磁石６と縁部２２に沿って磁着させるとともに、カーテン要素２の縁部２２近傍の表裏を互いにオーバーラップさせないように反発させるように取り付けられる。
【００２４】
このように磁石６を取り付ける場合、一枚の細長い板状のラバーマグネットなどの磁石６を短手方向に切断し、片方を表裏逆向けに配置してそれぞれの縁部２２に取り付けるようにする。一般的に、棒磁石などのような磁石は、左右逆向けにして軸方向に近づけると磁着するが、このとき、上下方向に重ねた場合も磁着してしまう。しかるに、このようにすると、カーテン要素２がオーバーラップしてしまうことになる。そこで、この実施の形態では、特殊な磁石として、両面着磁を有する磁石６を用いるようにする。この両面着磁は、扁平状の表裏の磁極が異なるようになったもので、これを逆向けにすることによって、縁部２２に沿った面側に沿っては、図４に示すように、それぞれ逆向けの磁極を持つようになるものである。このような磁石６を用いることにより、縁部２２同士を磁着させることができるとともに、表面方向に対しては、対向する磁石６の面の磁極が同じになるため、それぞれが反発するようになる。これにより、カーテン要素２を互いに表裏に磁着させることなく、縁部２２のみを磁着させることができるようになる。なお、ここでは両面着磁の磁石６を用いるようにしているが、表面側がＳＮＳＮ・・と連続するような極性を持ち、裏面側がＮＳＮＳ・・と連続するような極性を持つ両面多極着磁の磁石６を用いるようにしてもよい。そして、この両面多極着磁の磁石６を表裏逆にして対向させ、縁部２２を磁着させる。この場合、表裏方向には、同じ極性が重なると反発するが、磁石６が左右方向に少しずれると異極となるため磁着してしまう。このため、樹脂シート２１の左右方向への振れる可能性のある範囲内で表裏に同じ極性となるような磁極幅の磁石６を用いるようにするとよい。
【００２５】
次に、このように構成されたカーテン１の取り付け方法および使用方法について説明する。
【００２６】
まず、カーテン要素２の磁石取付部５に、細長い磁石６を短手方向に切断し、表裏逆にした状態となるように左右の縁部２２に取り付ける。このとき、磁石取付部５に磁石６を挿入し、その磁石取付部５の溶着片５１をカーテン要素２の表裏に挟み込ませるようにして溶着させる。
【００２７】
また、これとともに、カーテン要素２の上端部にフック部３を取り付ける。このフック部３を取り付ける場合は、片方の面にプレート３１ａを設けるとともに、他方の面側に鈎部３２を有するプレート３１ｂを取り付け、それぞれをボルト４で挟み込むように取り付ける。
【００２８】
一方、出入口の上端部には、レール７を取り付け、そのレール７の開口部７１に鈎部３２を水平方向から挿入させるようにする。
【００２９】
このレール７にカーテン要素２を取り付けた場合、鈎部３２の上片部３３を開口部７１から下から斜め方向に入れ、その状態で下片部３４を入れられる状態にする。そして、上片部３３を奥まで入れた状態で、下片部３４を傾斜させ、下片部３４も開口部７１に入れ込む。そして、その状態でカーテン要素２を下げて、フック部３の載置片３６をレール７の下側前壁７２の上に載置させる。このとき、フック部３の下片部３４の屈曲部３５が下側前壁７２の突起７３に掛かり合う状態となるため、風雨でカーテン要素２が前後に揺れた場合であっても、カーテン要素２が外れにくくなる。
【００３０】
同様にして、隣接するカーテン要素２もレール７に取り付けるようにする。このとき、磁石６の磁極の向きが、隣接するカーテン要素２の磁極と反対になるようにカーテン要素２を取り付けていく。
【００３１】
すると、それぞれのカーテン要素２は、図５に示すように、縁部２２同志が磁着するように密着し、出入りの際には、その縁部２２のスリットＳを割り入るように出入りすることができるようになる。これにより、従来のように、オーバーラップしているようなカーテン要素２の押込み場所が限定されるようなことがなく、また、片方向に隣接している全てのカーテン要素２を押しながら出入りするような煩わしさがなくなる。
【００３２】
このように取り付けたカーテン要素２のスリットＳを割って出入りする場合、カーテン要素２が前後に揺れることになり、また、左右方向に若干触れることになる。しかし、このようにカーテン要素２が揺れて下方部分が左右に振れた場合であっても、一方のカーテン要素２の磁石６の表面側と他方のカーテン要素２の磁石６の裏面側との磁極が同じであるので、それぞれが反発し合い、オーバーラップさせるようなことがなくなる。そして、カーテン要素２の縁部２２のみを磁着させて、迅速にスリット部分を閉めて、埃や風雨の侵入などを防止させるようにする。
【００３３】
このように上記実施の形態によれば、スリットＳを有するように左右に設けられた複数のカーテン要素２と、当該カーテン要素２のそれぞれの対向する縁部２２に設けられる磁石６とを備えてなるカーテン１であって、前記磁石６を、隣接するカーテン要素２の縁部２２同志を磁着させるとともに、それぞれのカーテン要素２の磁石６が表裏方向に近づいた場合にそれぞれの磁石６を反発させるように設けるようにしたので、縁部２２同志を磁着させて、左右いずれのカーテン要素２を押しても出入りすることができるようになる。これにより、オーバーラップさせているときのような、片側のみを押して出入りしなければならないといった煩わしさや、片側に隣接する全てのカーテン要素２も一緒に押圧しなければならないといった煩わしさもなくなる。しかも、出入りの際に、カーテン要素２が前後に揺れた際に、縁部２２近傍では表裏方向に反発するため、オーバーラップさせることなく、迅速に縁部２２のみで磁着させることができるようになる。
【００３４】
なお、本発明は上記実施の形態に限定されることなく、種々の態様で実施することができる。
【００３５】
例えば、上記実施の形態では、細長いラバーマグネットをカーテン要素２の上下全てに設けるようにしたが、他の種類の磁石６を用いてもよく、また、上下全てに磁石６を設けるのではなく、間欠的に設けるようにしてもよい。
【００３６】
また、上記実施の形態では、一枚の細長い磁石６を取り付けて縁部２２で磁着させるようにしたが、縁部２２方向に磁着させる磁石６と、表裏方向に反発させる磁石６とをそれぞれ別に設けるようにしてもよい。
【符号の説明】
【００３７】
１・・・カーテン
２・・・カーテン要素
２１・・・樹脂シート
２２・・・縁部
３・・・フック部
３１ａ、ｂ・・・プレート
３２・・・鈎部
３３・・・上片部
３４・・・下片部
３５・・・屈曲部
３６・・・載置片
４・・・ボルト
５・・・磁石取付部
５１・・・溶着片
６・・・磁石
７・・・レール
７１・・・開口部
７２・・・下側前壁
７３・・・突起
【図１】
2020081033.tif 000003
【図２】
2020081033.tif 000004
【図３】
2020081033.tif 000005
【図４】
2020081033.tif 000006
【図５】
2020081033.tif 000007
【図６】
2020081033.tif 000008